(57)【要約】  本開示は、安全ライトを提供する。安全ライトは、上部ハウジングと、上部ハウジングに連結されているプリント回路基板アッセンブリであって、プリント回路基板アッセンブリは、上部表面および底部表面を有する、プリント回路基板アッセンブリと、プリント回路基板アッセンブリの底部表面に連結されている複数のライトエレメントであって、プリント回路基板アッセンブリは、第１の制御ボタンの押下に続いて、複数のライトエレメントを励起するようにプログラムされている、複数のライトエレメントと、プリント回路基板アッセンブリの底部表面および複数のライトエレメントに連結されているレンズであって、レンズは、第１の角度付きの反射表面および複数の側部表面を有する、レンズと、レンズに連結されている底部ハウジングとを含む。
2020530653.tif 000002
【特許請求の範囲】
【請求項１】
上部ハウジングと、
前記上部ハウジングに連結されているプリント回路基板アッセンブリであって、前記プリント回路基板アッセンブリは、上部表面および底部表面を含む、プリント回路基板アッセンブリと、
前記プリント回路基板アッセンブリの前記底部表面に連結されている複数のライトエレメントであって、前記プリント回路基板アッセンブリは、第１の制御ボタンの押下に続いて、前記複数のライトエレメントを励起するようにプログラムされている、複数のライトエレメントと、
前記プリント回路基板アッセンブリの前記底部表面および前記複数のライトエレメントに連結されているレンズであって、前記レンズは、第１の角度付きの反射表面および複数の側部表面を含む、レンズと、
前記レンズに連結されている底部ハウジングと
を含む、安全ライト。
【請求項２】
前記レンズは、底部反射表面を含み、前記底部反射表面と前記第１の角度付きの反射表面との間の角度は、１１０°から１５０°である、請求項１に記載の安全ライト。
【請求項３】
前記レンズは、第２の角度付きの反射表面をさらに含み、前記第１の角度付きの反射表面と前記第２の角度付きの反射表面との間の角度は、８０°から１００°である、請求項１に記載の安全ライト。
【請求項４】
前記複数のライトエレメントは、前記プリント回路基板アッセンブリの前記底部表面から離れるように方向付けられた光を放出し、前記光は、前記レンズの前記第１の角度付きの反射表面で反射し、前記レンズの前記複数の側部表面を通って投射する、請求項１に記載の安全ライト。
【請求項５】
前記レンズは、４個の側部表面を含む、請求項１に記載の安全ライト。
【請求項６】
前記ライトエレメントは、発光ダイオード（ＬＥＤ）である、請求項１に記載の安全ライト。
【請求項７】
前記底部ハウジングは、磁石をさらに含む、請求項１に記載の安全ライト。
【請求項８】
前記安全ライトは、
前記プリント回路基板アッセンブリの前記上部表面に連結されているビーコンライトエレメントと、
前記ビーコンライトエレメントに連結されているビーコンライトレンズであって、前記ビーコンライトレンズは、前記上部ハウジングの壁部を通って延在している、ビーコンライトレンズと
をさらに含み、
前記プリント回路基板アッセンブリは、第２の制御ボタンの押下に続いて、前記ビーコンライトエレメントを励起するようにプログラムされている、請求項１に記載の安全ライト。
【請求項９】
前記プリント回路基板アッセンブリは、再充電可能な電源をさらに含む、請求項１に記載の安全ライト。
【請求項１０】
壁部を含む上部ハウジングと、
前記上部ハウジングに連結されているプリント回路基板アッセンブリであって、前記プリント回路基板アッセンブリは、上部表面、底部表面、および再充電可能な電源を含む、プリント回路基板アッセンブリと、
前記プリント回路基板アッセンブリの前記底部表面に連結されている複数のライトエレメントであって、前記プリント回路基板アッセンブリは、第１の制御ボタンの押下に続いて、第１のグループの前記複数のライトエレメントを励起するようにプログラムされており、第２の制御ボタンの押下に続いて、第２のグループの前記複数のライトエレメントを励起するようにプログラムされている、複数のライトエレメントと、
前記プリント回路基板アッセンブリの前記上部表面に連結されているビーコンライトエレメントであって、前記プリント回路基板アッセンブリは、第３の制御ボタンの押下に続いて、前記ビーコンライトエレメントを励起するようにプログラムされている、ビーコンライトエレメントと、
前記ビーコンライトエレメントに連結されているビーコンライトレンズであって、前記ビーコンライトレンズは、前記上部ハウジングの前記壁部を通って延在している、ビーコンライトレンズと、
前記プリント回路基板アッセンブリの前記底部表面および前記複数のライトエレメントに連結されているレンズであって、前記レンズは、第１の角度付きの反射表面、底部角度付きの反射表面、および複数の側部表面を含み、前記底部反射表面と前記第１の角度付きの反射表面との間の角度は、１１０°から１５０°である、レンズと、
前記レンズに連結されている底部ハウジングであって、前記底部ハウジングは、磁石を含む、底部ハウジングと
を含む、安全ライト。
【請求項１１】
前記レンズは、上部表面と、前記レンズの前記上部表面に連結されている複数のスペーシングポストとを含み、
それぞれのスペーシングポストは、前記プリント回路基板アッセンブリの前記底部表面と接触している上部表面を含み、
前記ライトエレメントは、前記レンズと直接的に接触していない、請求項１に記載の安全ライト。
【発明の詳細な説明】
【技術分野】
【０００１】
本開示は、安全ライトに関する。
【背景技術】
【０００２】
個人は、ライトが個人の安全を促進させることができる状況に身を置くことが頻繁にある。たとえば、道路の端を歩行している安全作業者（たとえば、警察官、消防士、医療従事者、軍人、および警備員）は、彼らの存在を対面交通流に警告するためにライトを担持することが可能である。また、たとえば、建設、輸送、電力、空港、交通指導員、および牽引などの、他の産業における作業者は、暗闇の中で彼ら自身をより見えやすくするために、ライトおよび／または反射ギヤを担持および着用することも知られている。追加的に、ハンティング、フィッシング、ボート漕ぎ、キャンピング、ロッククライミング、およびハイキングなどのような、アウトドア活動に従事している個人は、彼ら自身をより見えやすくするために、ライトおよび／または反射ギヤを担持および着用することが知られている。
【０００３】
しかし、フラッシュライトまたはランタンなどのような、ライトを担持することを必要とすることは邪魔である。その理由は、それが、個人の手の使用を要求するからである。ヘッドランプなどのような従来の着用可能なライトは、個人の手を自由にするが、それが光を投射することができる方向に関して制限されている。すなわち、ヘッドランプは、ユーザーの前にだけ光を投射する。しかし、一度に複数の方向に光を投射することができるライトに対する必要性が存在している。
【０００４】
また、交換可能なバッテリー、および、着用可能なライトのフロントレンズに向けて外へ方向付けられる光源に起因して従来の着用可能なライトは嵩張る。嵩張るライトは、それらの重量およびユーザーの上で変位させられる高い可能性に起因して、ユーザーに不快感を引き起こす傾向にある。
【０００５】
当業者は、携帯可能であり、サイズが小さく、低い重量を有する多方向安全ライトに対する必要性を認識している。
【０００６】
当業者は、着用可能であり、サイズが小さく、低い重量を有する多方向安全ライトに対する必要性をさらに認識している。
【発明の概要】
【課題を解決するための手段】
【０００７】
本開示は、安全ライトを提供する。安全ライトは、
上部ハウジングと、
上部ハウジングに連結されているプリント回路基板アッセンブリであって、プリント回路基板アッセンブリは、上部表面および底部表面を含む、プリント回路基板アッセンブリと、
プリント回路基板アッセンブリの底部表面に連結されている複数のライトエレメントであって、プリント回路基板アッセンブリは、第１の制御ボタンの押下に続いて、複数のライトエレメントを励起するようにプログラムされている、複数のライトエレメントと、
プリント回路基板アッセンブリの底部表面および複数のライトエレメントに連結されているレンズであって、レンズは、第１の角度付きの反射表面および複数の側部表面を含む、レンズと、
レンズに連結されている底部ハウジングと
を含む。
【０００８】
別の実施形態では、本開示は、
壁部を含む上部ハウジングと、
上部ハウジングに連結されているプリント回路基板アッセンブリであって、プリント回路基板アッセンブリは、上部表面、底部表面、および再充電可能な電源を含む、プリント回路基板アッセンブリと、
プリント回路基板アッセンブリの底部表面に連結されている複数のライトエレメントであって、プリント回路基板アッセンブリは、第１の制御ボタンの押下に続いて、第１のグループの複数のライトエレメントを励起するようにプログラムされており、第２の制御ボタンの押下に続いて、第２のグループの複数のライトエレメントを励起するようにプログラムされている、複数のライトエレメントと、
プリント回路基板アッセンブリの上部表面に連結されているビーコンライトエレメントであって、プリント回路基板アッセンブリは、第３の制御ボタンの押下に続いて、ビーコンライトエレメントを励起するようにプログラムされている、ビーコンライトエレメントと、
ビーコンライトエレメントに連結されているビーコンライトレンズであって、ビーコンライトレンズは、上部ハウジングの壁部を通って延在している、ビーコンライトレンズと、
プリント回路基板アッセンブリの底部表面および複数のライトエレメントに連結されているレンズであって、レンズは、第１の角度付きの反射表面、底部角度付きの反射表面、および複数の側部表面を含み、底部反射表面と第１の角度付きの反射表面との間の角度は、１１０°から１５０°である、レンズと、
レンズに連結されている底部ハウジングであって、底部ハウジングは、磁石を含む、底部ハウジングと
を含む、安全ライトを提供する。
【図面の簡単な説明】
【０００９】
【図１】本開示の実施形態による安全ライトの斜視図である。
【図２】本開示の実施形態による上部ハウジングの斜視図である。
【図３】上部ハウジングの上面図である。
【図４】上部ハウジングの前方立面図である。
【図５】上部ハウジングの後方立面図である。
【図６】上部ハウジングの左側立面図である。
【図７】上部ハウジングの右側立面図である。
【図８】上部ハウジングの底面斜視図である。
【図９】上部ハウジングの底部平面図である。
【図１０】本開示の実施形態によるプリント回路基板アッセンブリ（ＰＣＢＡ）の上面斜視図である。
【図１１】ＰＣＢＡの底面斜視図である。
【図１２】本開示の実施形態によるＰＣＢＡおよび再充電可能な電源の左側底面斜視図である。
【図１３】ＰＣＢＡおよび再充電可能な電源の右側底面斜視図である。
【図１４】本開示の実施形態によるＰＣＢＡおよび再充電可能な電源の底部平面図である。
【図１５Ａ】ＰＣＢＡおよび再充電可能な電源の前方立面図である。
【図１５Ｂ】ＰＣＢＡおよび再充電可能な電源の右側立面図である。
【図１６】本開示の実施形態によるボタンパッドの上面斜視図である。
【図１７】ボタンパッドの底面斜視図である。
【図１８】本開示の実施形態によるビーコンライトレンズの前方立面図である。
【図１９】ビーコンライトレンズの上面図である。
【図２０】ビーコンライトレンズの第１の上面斜視図である。
【図２１】本開示の実施形態によるレンズの後方上面斜視図である。
【図２２】レンズの右側底面斜視図である。
【図２３】レンズの前方上面斜視図である。
【図２４】レンズの底面斜視図である。
【図２５】レンズの上面図である。
【図２６】レンズの底部平面図である。
【図２７】レンズの前方立面図である。
【図２８】レンズの左側立面図である。
【図２９】図２５の線Ａ−Ａに沿って見たレンズの断面図である。
【図３０】本開示の実施形態によるゴムシールの右側上面斜視図である。
【図３１】ゴムシールの左側上面斜視図である。
【図３２】ゴムシールの右側底面斜視図である。
【図３３】ゴムシールの左側底面斜視図である。
【図３４】ゴムシールの前方立面図である。
【図３５】ゴムシールの後方立面図である。
【図３６】ゴムシールの左側立面図である。
【図３７】ゴムシールの右側立面図である。
【図３８】ゴムシールの上面図である。
【図３９】ゴムシールの底部平面図である。
【図４０】本開示の実施形態による再充電可能な電源コネクターの斜視図である。
【図４１】本開示の実施形態による再充電ポートの斜視図である。
【図４２】本開示の実施形態による底部ハウジングの左側上面斜視図である。
【図４３】底部ハウジングの右側上面斜視図である。
【図４４】底部ハウジングの底面斜視図である。
【図４５】底部ハウジングの上面図である。
【図４６】底部ハウジングの底部平面図である。
【図４７】本開示の実施形態による磁石の斜視図である。
【図４８】本開示の実施形態による安全ライトの分解底面斜視図である。
【図４９】本開示の実施形態による安全ライトの分解上面斜視図である。
【図５０】本開示の実施形態による安全ライトの上面図である。
【図５１】安全ライトの底部平面図である。
【図５２】安全ライトの前方立面図である。
【図５３】安全ライトの後方立面図である。
【図５４】安全ライトの左側立面図である。
【図５５】安全ライトの右側立面図である。
【図５６】安全ライトの後方上面斜視図である。
【図５７】安全ライトの後方底面斜視図である。
【図５８】安全ライトの前方底面斜視図である。
【図５９】図５６の線Ａ−Ａに沿って見た安全ライトの断面図である。
【図６０】図５６の線Ｂ−Ｂに沿って見た安全ライトの右側断面図である。
【図６１】図５６の線Ｂ−Ｂに沿って見た安全ライトの左側断面図である。
【図６２】本開示の別の実施形態による安全ライトの上面斜視図である。
【図６３】安全ライトの底面斜視図である。
【図６４】安全ライトの上面図である。
【図６５】安全ライトの底部平面図である。
【図６６】安全ライトの前方立面図である。
【図６７】安全ライトの後方立面図である。
【図６８】安全ライトの左側立面図である。
【図６９】安全ライトの右側立面図である。
【図７０】図６２の安全ライトのエリアＡの拡大背面図である。
【図７１】本開示の別の実施形態による安全ライトの上面斜視図である。
【図７２】安全ライトの前方立面図である。
【図７３】安全ライトの後方立面図である。
【図７４】安全ライトの右側立面図である。
【図７５】安全ライトの左側立面図である。
【図７６】安全ライトの上面図である。
【図７７】安全ライトの底部平面図である。
【図７８】安全ライトの底面斜視図である。
【図７９】本開示の別の実施形態による安全ライトの底面斜視図である。
【図８０】本開示の別の実施形態によるレンズの正面斜視図である。
【発明を実施するための形態】
【００１０】
定義
本明細書で開示されている数値範囲は、下側値および上側値からのすべての値を含む（下側値および上側値を含む）。明示的な値（たとえば、１または２；または３から５；または６；または７）を含有する範囲に関して、任意の２つの明示的な値の間の任意のサブレンジが含まれる（たとえば、１から２；２から６；５から７；３から７；５から６など）。
【００１１】
「含む（ｃｏｍｐｒｉｓｉｎｇ）」、「含む（ｉｎｃｌｕｄｉｎｇ）」「有する」という用語、および、それらの派生形は、任意の追加的なコンポーネント、ステップ、または手順の存在が具体的に開示されているかどうかにかかわらず、それを除外することを意図していない。任意の疑義を回避するために、「含む（ｃｏｍｐｒｉｓｉｎｇ）」という用語の使用を通して特許請求されているすべての組成は、逆のことが述べられていない限り、ポリマーであろうとまたはその他のものであろうと、任意の追加的な添加剤、アジュバント、または化合物を含むことが可能である。それとは対照的に、「本質的に〜なる（ｃｏｎｓｉｓｔｉｎｇ  ｅｓｓｅｎｔｉａｌｌｙ  ｏｆ）」という用語は、動作可能性に必須でないものを除いて、任意のそれに続く記載の範囲から、任意の他のコンポーネント、ステップ、または手順を除外する。「からなる（ｃｏｎｓｉｓｔｉｎｇ  ｏｆ）」という用語は、具体的には描写または列挙されていない任意のコンポーネント、ステップ、または手順を除外する。「または」という用語は、そうでないことを述べられていない限り、列挙されている部材を個別におよび任意の組み合わせで表している。単数形の使用は、複数形の使用を含み、また、その逆も同様である。
【００１２】
元素の周期表の任意の参照は、ＣＲＣ  Ｐｒｅｓｓ、Ｉｎｃ．，１９９０−１９９１によって発行された通りのものである。この表の中の元素のグループへの参照は、グループを付番するための新しい表記法による。
【００１３】
文脈から暗示的に、または、当技術分野において慣習的に、逆のことが述べられていない限り、すべてのパーツおよびパーセンテージは、重量に基づいており、すべてのテスト方法は、この開示の出願日の時点において最新である。
【００１４】
米国特許実務の目的のために、任意の参照される特許、特許出願、または刊行物の内容は、特に、定義の開示（この開示の中に具体的に提供されている任意の定義と矛盾することのない程度において）および当技術分野における一般的な知識を参照して、それらの全体が参照により組み込まれている（または、その均等な米国バージョンが、そのように参照により組み込まれている）。
【００１５】
「ポリマー」は、同じまたは異なるタイプのモノマーをポリマー化することによって準備された高分子化合物である。「ポリマー」は、ホモポリマー、コポリマー、ターポリマー、およびインターポリマーなどを含む。「インターポリマー」は、少なくとも２つのタイプのモノマーまたはコモノマーのポリマー化によって準備されたポリマーである。それは、それに限定されないが、コポリマー（それは、通常、２つの異なるタイプのモノマーまたはコモノマーから準備されたポリマーを表している）、ターポリマー（それは、通常、３つの異なるタイプのモノマーまたはコモノマーから準備されたポリマーを表している）、およびテトラポリマー（それは、通常、４つの異なるタイプのモノマーまたはコモノマーから準備されたポリマーを表している）などを含む。
【００１６】
「多方向安全ライト」は、少なくとも２個の方向、少なくとも３個の方向、または少なくとも４個の方向に光を投射することができるライトである。ある実施形態では、多方向安全ライトは、２個から、３個、または４個、または６個、または７個、または８個、または９個、または１０個、または１４個、または１６個、または１８個、または２０個、または２２個、または２４個、または２６個の方向に光を投射することができる。ある実施形態では、多方向安全ライトは、少なくとも４個の方向に光を投射することができる。
【００１７】
本開示は、図１に示されているような安全ライト１０を提供する。安全ライト１０は、壁部を有する上部ハウジング１２と、上部ハウジング１２に連結されているプリント回路基板アッセンブリとを含み、プリント回路基板アッセンブリは、上部表面および底部表面を有している。また、安全ライト１０は、プリント回路基板アッセンブリの底部表面に連結されている複数のライトエレメントを含み、プリント回路基板アッセンブリは、第１の制御ボタン４２の押下に続いて複数のライトエレメントを励起するようにプログラムされている。安全ライト１０は、プリント回路基板アッセンブリの底部表面に連結されているレンズ６４と、複数のライトエレメントとを含み、レンズ６４は、第１の角度付きの反射表面６６および複数の側部表面６８を有している。また、安全ライト１０は、レンズ６４に連結されている底部ハウジング９４を含む。
【００１８】
Ａ．  上部ハウジング
安全ライト１０は、図１〜図９に示されているように、上部ハウジング１２を含む。
【００１９】
上部ハウジング１２は、図２に示されているように、壁部１３を含む。
【００２０】
上部ハウジング１２は、１つまたは複数の剛体材料から形成されている。適切な剛体材料の非限定的な例は、耐衝撃性ポリマー、熱可塑性ポリマー、熱硬化性ポリマー、複合材、金属、ガラス、セラミック、セルロース、および／または、それらの組み合わせなどを含む。「熱可塑性」ポリマーは、加熱されるときには、繰り返して軟化され、流動可能にされ得り、室温まで冷却されるときには、硬い状態に戻され得る。加えて、熱可塑性物質は、軟化した状態に加熱されるときに、任意の所定の形状の物品の中へ成形または押し出しされ得る。「熱硬化性」ポリマーは、一旦硬い状態になると、不可逆的に硬い状態になる。
【００２１】
ある実施形態では、上部ハウジング１２は、図２および図８に示されているように、上部表面１６および底部表面１８を含む、２つの対向する表面を有している。
【００２２】
ある実施形態では、上部ハウジング１２は、複数の側部表面２０を含む。ある実施形態では、側部表面２０は、図４、図５、図６、および図７に示されているように、前方表面２０ａ、後方表面２０ｂ、左側表面２０ｃ、および右側表面２０ｄを含む。
【００２３】
上部ハウジング１２は、所定の断面形状を有している。適切な断面形状の非限定的な例は、多角形、円形、および楕円形を含む。ある実施形態では、上部ハウジングは、多角形の断面形状を有している。「多角形」は、少なくとも３つの辺によって境界を定められた閉じた平面の形である。多角形は、３辺、４辺、５辺、６辺、７辺、８辺、９辺、１０辺、またはそれ以上の辺を有する正多角形または不規則な多角形であることが可能である。適切な多角形形状の非限定的な例は、三角形、正方形、長方形、ダイヤモンド、台形、平行四辺形、六角形、および八角形を含む。図３は、長方形断面形状を有する上部ハウジング１２を示している。
【００２４】
ある実施形態では、複数のネジ山付きコネクター２２が、図８および図９に示されているように、上部ハウジング１２の底部表面１８に連結されている。「ネジ山付きコネクター」は、スクリューなどのようなネジ山付き締結具１１４を受け入れるようにサイズ決めされた突出部である。上部ハウジング１２およびネジ山付きコネクター２２は、一体設計または複合設計を有することが可能である。「一体設計」を有するネジ山付きコネクター２２を備えた上部ハウジング１２は、成形されたピースなどのような、ワンピースの剛体材料から形成されている。「複合設計」を有するネジ山付きコネクター２２を備えた上部ハウジング１２は、２つ以上の個別のピース（または、パーツ）から形成されており、それらは、組み立てのときに組み合わせられる。ある実施形態では、安全ライト１０は、２個または３個から、４個、または５個、または６個までのネジ山付きコネクター２２を含み、ネジ山付きコネクター２２は、上部ハウジング１２の底部表面１８に連結されている。別の実施形態では、安全ライト１０は、上部ハウジング１２の底部表面１８に連結されている４個のネジ山付きコネクター２２を含む。
【００２５】
上部ハウジング１２は、本明細書で開示されている２つ以上の実施形態を含むことが可能である。
【００２６】
Ｂ．  プリント回路基板アッセンブリ
安全ライト１０は、図１０〜図１５Ｂに示されているように、上部ハウジング１２に連結されているプリント回路基板アッセンブリ２４を含む。
【００２７】
「プリント回路基板アッセンブリ」または「ＰＣＢＡ」は、安全ライトの電子コンポーネントを機械的に支持して電気的に接続するコンポーネントである。ＰＣＢＡ２４は、図１０および図１１に示されているように、上部表面２６および底部表面２８を含む、２つの対向する表面を有している。
【００２８】
ある実施形態では、ＰＣＢＡ２４は、複数の側部表面３０を含む。ある実施形態では、側部表面３０は、図１０、１１、図１５Ａ、および図１５Ｂに示されているように、前方表面３０ａ、後方表面３０ｂ、左側表面３０ｃ、および右側表面３０ｄを含む。
【００２９】
ある実施形態では、ＰＣＢＡ２４は、図１０および図１１に示されているように、複数のネジ山付き開口部３８を含む。「ネジ山付き開口部」は、スクリューなどのようなネジ山付き締結具１１４を受け入れるようにサイズ決めされたＰＣＢＡの中の空洞部である。ネジ山付き開口部３８は、ネジ山付き締結具１１４がＰＣＢＡ２４を通って延在することを可能にする。ある実施形態では、ＰＣＢＡ２４は、２個または３個から、４個、または５個、または６個までのネジ山付き開口部３８を含む。ある実施形態では、ＰＣＢＡ２４は、４個のネジ山付き開口部３８を含む。
【００３０】
ある実施形態では、ＰＣＢＡ２４は、図１２、図１３、図１５Ａ、および図１５Ｂに示されているように、再充電可能な電源３２を含む。ある実施形態では、再充電可能な電源３２は、再充電可能なバッテリーである。再充電可能な電源３２は、ＰＣＢＡ２４に電気的に接続されている。再充電可能な電源３２は、有利には、従来の交換可能なバッテリーよりも小さくなっており、電源が充電切れになったときに、安全ライト１０を分解する必要性を回避する。
【００３１】
再充電可能な電源３２は、図４１および図６５に示されているように、誘導カップリングまたは再充電ポート３４を介して再充電され得る。ある実施形態では、安全ライト１０は、再充電ポート３４を含み、ユーザーが電源コードを通して再充電可能な電源３２を再充電することができるようになっており、電源コードは、アダプターを介して、標準的なＡＣ電力コンセントなどのような電力供給部に接続されている。別の実施形態では、再充電可能な電源３２は、上部ハウジング１２の壁部１４および／または底部ハウジング９４の壁部１０４を通して、ＡＣコンセントに接続されているワイヤレス電力供給部への誘導カップリング（すなわち、ワイヤレス充電）を介して再充電され得る。
【００３２】
ある実施形態では、再充電可能な電源コネクター３３は、図４０に示されているように、再充電可能な電源３２の中に、または、再充電可能な電源３２の一部分の中に位置決めされている。再充電可能な電源コネクター３３は、ユニバーサルシリアルバス（ＵＳＢ）またはマイクロＵＳＢであることが可能である。再充電可能な電源コネクター３３は、再充電可能な電源３２を充電し、ソフトウェアアップデートを安全ライト１０に提供し、安全ライト１０から別のデバイス（たとえば、コンピューター）へデータを転送し、安全ライト１０のテスティングアナリティクス（testing analytics）を別のデバイス（たとえば、コンピューター）へ転送し、および、それらの組み合わせを行うように構成され得る。
【００３３】
ある実施形態では、ＰＣＢＡ２４は、全地球測位システム（ＧＰＳ）能力を安全ライト１０に提供するように構成されている。
【００３４】
ある実施形態では、ＰＣＢＡ２４は、データを発生させ、収集し、記憶し、および／または転送するように構成されている。ＰＣＢＡ２４が発生させ、収集し、記憶し、および／または転送するように構成され得るデータの非限定的な例は、安全ライト１０利用データ（たとえば、バッテリー寿命の持続期間；複数のライトエレメント３６および／またはビーコンライトエレメント４０などのような、ライトが光を放出している時間の持続期間；ＧＰＳから導出される場所などのような場所情報；および、それらの組み合わせ）；安全ライト１０のテスティングアナリティクス（たとえば、故障したコンポーネントの検出、停電の検出、ソフトウェアエラーの検出、および、それらの組み合わせ）；生体測定データ（たとえば、安全ライト１０を着用しているユーザー、および／または、安全ライト１０の近くにいる個人に関する心拍数、温度、顔面認識、および／または顔面表情情報）；カメラ画像；ビデオ；録音；および、どれらの組み合わせを含む。
【００３５】
ある実施形態では、ＰＣＢＡ２４は、携帯電話、リモコン、または別の安全ライトなどのような、ワイヤレスデバイスとワイヤレスに接続するように構成されている（ワイヤレス通信を送信および受信することを含む）。適切なワイヤレス接続の非限定的な例は、Ｂｌｕｅｔｏｏｔｈ、ラジオ周波数（ＲＦ）、およびＷｉｒｅｌｅｓｓ  Ｆｉｄｅｌｉｔｙ（ＷｉＦｉ）を含む。ある実施形態では、ＰＣＢＡ２４は、ワイヤレスデバイスからのワイヤレス通信を介して、複数のライトエレメント３６および／またはビーコンライトエレメント４０を励起するように構成され得る。ある実施形態では、利用データ、安全ライトのテスティングアナリティクス、生体測定データ、カメラ画像、ビデオ、録音、およびそれらの組み合わせは、ワイヤレス通信としてワイヤレスに転送され得る。
【００３６】
ＰＣＢＡ２４は、本明細書で開示されている２つ以上の実施形態を含むことが可能である。
【００３７】
Ｃ．  複数のライトエレメント
安全ライト１０は、図１１〜図１５Ｂに示されているように、ＰＣＢＡ２４の底部表面２８に連結されている複数のライトエレメント３６を含む。
【００３８】
「ライトエレメント」は、可視光、紫外（ＵＶ）光、赤外（ＩＲ）光、ブラックライト、または、それらの組み合わせなどのような、光を放出することができるコンポーネントである。ある実施形態では、それぞれのライトエレメントは、可視光を放出することができる。適切な可視光の非限定的な例は、白色光、赤色光、オレンジ色光、黄色光、緑色光、藍色光、青色光、紫色光、および、それらの組み合わせを含む。それぞれのライトエレメントは、同じタイプの光、または、異なるタイプの光を放出することができる可能性がある。たとえば、安全ライト１０は、複数のライトエレメント３６を含むことが可能であり、それぞれのライトエレメント３６は、白色の、青色の、および赤色の可視光を放出することができる。
【００３９】
適切なライトエレメント３６の非限定的な例は、発光ダイオード（ＬＥＤ）、蛍光ランプ、キセノンランプ、白熱ランプ、ハロゲンランプ、光ファイバー、および、それらの組み合わせを含む。ある実施形態では、それぞれのライトエレメント３６は、ＬＥＤである。
【００４０】
ＰＣＢＡ２４の底部表面２８に連結されているそれぞれのライトエレメント３６は、ＰＣＢＡ２４の底部表面２８から離れるように、または、そこから反対側方向に方向付けされた光を放出する。ある実施形態では、ＰＣＢＡ２４の底部表面２８に連結されているそれぞれのライトエレメント３６は、上部ハウジング１２から離れるように、または、そこから反対側方向に方向付けされた光を放出する。ある実施形態では、ＰＣＢＡ２４の底部表面２８に連結されているそれぞれのライトエレメント３６は、ＰＣＢＡ２４の底部表面２８に対して、７０°、または７５°、または８０°、または８５°から、９０°、または９５°、または１００°、または１０５°、または１１０°までの角度で、光を放出する。別の実施形態では、ＰＣＢＡ２４の底部表面２８に連結されているそれぞれのライトエレメント３６は、ＰＣＢＡ２４の底部表面２８に対して９０°の角度で光を放出する。
【００４１】
ライトエレメント３６は、ＰＣＢＡ２４に電気的に接続されている。
【００４２】
ある実施形態では、ライトエレメント３６は、図１１、図１２、および図１３に示されているように、ＰＣＢＡ２４の底部表面２８に連結されており、ＰＣＢＡ２４の側部表面３０に隣接して位置決めされている。ある実施形態では、１個または２個から、３個、または４個、または５個、または６個、または７個、または８個、または９個、または１０個までのライトエレメント３６が、ＰＣＢＡ２４の前方側部表面３０ａに隣接して位置決めされており、１個または２個から、３個、または４個、または５個、または６個、または７個、または８個、または９個、または１０個までのライトエレメント３６が、ＰＣＢＡ２４の後方側部表面３０ｂに隣接して位置決めされており、１個または２個から、３個、または４個、または５個、または６個までのライトエレメント３６が、ＰＣＢＡ２４の左側側部表面３０ｃに隣接して位置決めされており、１個または２個から、３個、または４個、または５個、または６個までのライトエレメント３６が、ＰＣＢＡ２４の右側側部表面３０ｄに隣接して位置決めされている。別の実施形態では、図１３および図１４に示されているように、７個のライトエレメント３６が、ＰＣＢＡ２４の前方側部表面３０ａに隣接して位置決めされており、６個のライトエレメント３６が、ＰＣＢＡ２４の後方側部表面３０ｂに隣接して位置決めされており、２個のライトエレメント３６が、ＰＣＢＡ２４の左側側部表面３０ｃに隣接して位置決めされており、２個のライトエレメント３６が、ＰＣＢＡ２４の右側側部表面３０ｄに隣接して位置決めされている。
【００４３】
複数のライトエレメント３６は、本明細書で開示されている２つ以上の実施形態を含むことが可能である。
【００４４】
Ｄ．  ビーコンライトエレメント
ある実施形態では、安全ライト１０は、図１０、図１５Ａ、および図１５Ｂに示されているように、ＰＣＢＡ２４の上部表面２６に連結されているビーコンライトエレメント４０を含む。
【００４５】
ビーコンライトエレメント４０は、本明細書で開示されている任意のライトエレメントであることが可能である。ある実施形態では、ビーコンライトエレメント４０は、ＬＥＤである。
【００４６】
ＰＣＢＡ２４の上部表面２６に連結されているビーコンライトエレメント４０は、ＰＣＢＡ２４の上部表面２６から離れるように、または、そこから反対側方向に方向付けされた光を放出する。ある実施形態では、ＰＣＢＡ２４の上部表面２６に連結されているビーコンライトエレメント４０は、底部ハウジング９４から離れるように、または、そこから反対側方向に方向付けされた光を放出する。ある実施形態では、ＰＣＢＡ２４の上部表面２６に連結されているビーコンライトエレメント４０は、ＰＣＢＡ２４の上部表面２６に対して、７５°、または８０°、または８５°から、９０°、または９５°、または１００°、または１０５°までの角度で、光を放出する。別の実施形態では、ＰＣＢＡ２４の上部表面２６に連結されているビーコンライトエレメント４０は、ＰＣＢＡ２４の上部表面２６に対して９０°の角度で光を放出する。
【００４７】
ある実施形態では、ビーコンライトエレメント４０は、複数のライトエレメント３６から放出される光から反対側方向に光を放出する。
【００４８】
ビーコンライトエレメント４０は、ＰＣＢＡ２４に電気的に接続されている。
【００４９】
ある実施形態では、安全ライト１０は、１個から２個、または３個、または４個までのビーコンライトエレメント４０を含む。ある実施形態では、安全ライト１０は、１個のおよび１個だけのビーコンライトエレメント４０を含む。
【００５０】
ビーコンライトエレメント４０は、本明細書で開示されている２つ以上の実施形態を含むことが可能である。
【００５１】
Ｅ．  制御ボタン
安全ライト１０は、図１、図１６、および図１７に示されているように、少なくとも１個の制御ボタン４２を含む。
【００５２】
ある実施形態では、安全ライト１０は、複数の制御ボタン４２を含む。ある実施形態では、安全ライト１０は、１個または２個から、３個、または４個、または５個、または６個までの制御ボタン４２を含む。
【００５３】
それぞれの制御ボタン４２は、機械的な接続、電気的な接続、または、それらの組み合わせを介して、ＰＣＢＡ２４に接続されている。
【００５４】
適切な制御ボタン４２の非限定的な例は、押下ボタン、押下スイッチ、トグルスイッチ、タッチスイッチ、ワイヤレススイッチ、および、それらの組み合わせを含む。ある実施形態では、それぞれの制御ボタン４２は、押下ボタンである。
【００５５】
ある実施形態では、ＰＣＢＡ２４は、制御ボタン４２の押下に続いて、複数のライトエレメント３６および／またはビーコンライトエレメント４０を励起するようにプログラムされている。ある実施形態では、ＰＣＢＡ２４は、制御ボタン４２の別の押下に続いて、複数のライトエレメント３６および／またはビーコンライトエレメント４０へのエネルギーを停止するようにプログラムされており、第１の押下がライトエレメント（３６および／または４０）を励起し、第２の押下がライトエレメント（３６および／または４０）へのエネルギーを停止するようになっている。エネルギーが停止されているときには、ライトエレメント（３６および／または４０）は、光を放出せず、すなわち、ライトエレメントは「オフ」になっている。ライトエレメント（３６および／または４０）が励起されているときには、それは光を放出し、すなわち、エレメントは「オン」になっている。
【００５６】
ある実施形態では、制御ボタン４２は、タッチスイッチである。「タッチスイッチ」は、ユーザーが安全ライト１０（たとえば、上部ハウジングの上部表面１６の上など）をタップし、センサーを活性化させるかまたは不活性化させることを可能にし、それによって、（それぞれ）複数のライトエレメント３６および／またはビーコンライトエレメント４０へのエネルギーを励起または停止する。
【００５７】
ある実施形態では、ＰＣＢＡ２４は、第１の制御ボタン４２ａの押下に続いて、複数のライトエレメント３６を励起するようにプログラムされている。別の実施形態では、ＰＣＢＡ２４は、第２の制御ボタン４２ｂの押下に続いて、ビーコンライトエレメント４０を励起するようにプログラムされている。
【００５８】
ある実施形態では、ＰＣＢＡ２４は、第１の制御ボタン４２ａの押下に続いて、第１のグループの複数のライトエレメント３６ａを励起するようにプログラムされており、第２の制御ボタン４２ｂの押下に続いて、第２のグループの複数のライトエレメント３６ｂを励起するようにプログラムされている。ある実施形態では、第１のグループの複数のライトエレメント３６ａは、ＰＣＢＡ２４の前方表面３０ａの近くにあるそれらのライトエレメント３６であり、第２のグループの複数のライトエレメント３６ｂは、図１３に示されているように、ＰＣＢＡ２４の後方表面３０ｂの近くにあるそれらのライトエレメント３６である。別の実施形態では、ＰＣＢＡ２４は、第３の制御ボタン４２ｃの押下に続いて、ビーコンライトエレメント４０を励起するようにプログラムされている。
【００５９】
ある実施形態では、ＰＣＢＡ２４は、制御ボタン４２の押下に続いて、複数のライトエレメント３６および／またはビーコンライトエレメント４０を励起するようにプログラムされており、特定のタイプの光、特定の色の光、またはそれらの組み合わせを、ライトエレメント（３６および／または４０）が放出することを引き起こす。
【００６０】
ある実施形態では、ＰＣＢＡ２４は、制御ボタン４２の押下に続いて、複数のライトエレメント３６および／またはビーコンライトエレメント４０を励起するようにプログラムされており、ストロボパターン、時限フラッシュパターン、連続パターン、色が交互に変わるパターン、またはそれらの組み合わせなどのような、所定のパターンで、ライトエレメント（３６および／または４０）が光を放出することを引き起こす。
【００６１】
ある実施形態では、ＰＣＢＡ２４は、単一の制御ボタン４２の押下に続いて、複数のライトエレメント３６およびビーコンライトエレメント４０を励起するようにプログラムされている。
【００６２】
ある実施形態では、ＰＣＢＡ２４は、図１に示されているように、緊急ボタン４４である制御ボタン４２を含む。「緊急ボタン」は、押下に続いて、すべてのライトエレメント（３６および／または４０）を励起することができ、第２の押下に続いて、すべてのライトエレメント（３６および／または４０）へのすべてのエネルギーを停止することができる。ある実施形態では、緊急ボタン４４は、図１に示されているように、上部ハウジング１２の中に中央に位置決めされている。
【００６３】
ある実施形態では、ＰＣＢＡ２４は、図１６に示されているように、省電力ボタン４６である制御ボタン４２を含む。「省電力ボタン」は、励起するべきライトエレメント（３６および／または４０）の一部分のみを励起する。ある実施形態では、省電力ボタンは、安全ライト１０のライトエレメント（３６および４０）の１０％、または２０％、または３０％、または４０％から、５０％、または６０％、または７０％、または８０％までを励起する。
【００６４】
制御ボタン（４２、４４、４６）は、１つまたは複数の可撓性材料から形成されている。適切な可撓性材料の非限定的な例は、ゴムである。
【００６５】
ある実施形態では、制御ボタン（４２、４４、４６）は、図１６および図１７に示されているように、ボタンパッド４８から形成されている。ある実施形態では、ボタンパッド４８は、一体設計を有しており、制御ボタン（４２、４４、４６）がワンピースの可撓性材料から形成されるようになっている。ボタンパッド４８は、上部表面５０および底部表面５２を含む、２つの対向する表面を有している。図１６に示されているように、制御ボタン（４２、４４、４６）は、ボタンパッド４８の上部表面５０から突出している。
【００６６】
ボタンパッド４８は、所定の断面形状を有している。その断面形状は、本明細書で開示されている任意の断面形状であることが可能である。ボタンパッド４８の断面形状は、上部ハウジング１２と同じ断面形状である。図１６および図１７は、長方形断面形状を有するボタンパッド４８を示している。
【００６７】
ある実施形態では、ボタンパッド４８は、図１６および図１７に示されているように、複数のネジ山付き開口部５６を含む。「ネジ山付き開口部」は、スクリューなどのようなネジ山付き締結具１１４を受け入れるようにサイズ決めされたボタンパッド４８の中の空洞部である。ネジ山付き開口部５６は、ネジ山付き締結具１１４がボタンパッド４８を通って延在することを可能にする。ある実施形態では、ボタンパッド４８のネジ山付き開口部５６は、ＰＣＢＡ２４のネジ山付き開口部３８と整合しており、それは、上部ハウジング１２のネジ山付きコネクター２２と整合しており、ネジ山付き締結具１１４が、ＰＣＢＡ２４およびボタンパッド４８を通って延在し、上部ハウジング１２に接続することができるようになっている。ある実施形態では、ボタンパッド４８は、２個または３個から、４個、または５個、または６個までのネジ山付き開口部５６を含む。ある実施形態では、ボタンパッド４８は、４個のネジ山付き開口部５６を含む。
【００６８】
ある実施形態では、ボタンパッド４８は、図１６に示されているように、上部部分４８ａおよび底部部分４８ｂを有している。ある実施形態では、上部ハウジング１２は、ボタンパッド４８の上部部分４８ａを受け入れるようにサイズ決めされている。
【００６９】
ある実施形態では、上部ハウジング１２は、図２に示されているように、複数のボタン開口部５４を含む。「ボタン開口部」は、上部ハウジング１２の壁部１４の中の空洞部であり、図１および図５９に示されているように、制御ボタン（４２、４４、４６）が壁部１４を通って延在することができるようになっている。ある実施形態では、上部ハウジング１２は、複数のボタン開口部５４を含み、それぞれのボタン開口部５４は、ボタンパッド４８の制御ボタン（４２、４４、４６）と整合させられている。ボタンパッド４８の上の制御ボタン（４２、４４、４６）の数は、上部ハウジング１２の中のボタン開口部５４の同じ数である。
【００７０】
ある実施形態では、ボタンパッド４８は、図１６および図１７に示されているように、ビーコン開口部５８を含む。「ビーコン開口部」は、ビーコンライトエレメント４０を受け入れるようにサイズ決めされたボタンパッド４８の中の空洞部であり、ビーコンライトエレメント４０がボタンパッド４８を通って延在することができるようになっている。
【００７１】
ある実施形態では、ボタンパッド４８の底部部分４８ｂは、ゴム加工されたガスケットとしての役割を果たし、ゴム加工されたガスケットは、レンズ６４と上部ハウジング１２との間に防水シールまたは半防水シールを形成している。
【００７２】
制御ボタン４２は、本明細書で開示されている２つ以上の実施形態を含むことが可能である。
【００７３】
ボタンパッド４８は、本明細書で開示されている２つ以上の実施形態を含むことが可能である。
【００７４】
Ｆ．  ビーコンライトレンズ
ある実施形態では、安全ライト１０は、図１、図１８〜図２０、および図７０に示されているように、ビーコンライトレンズ６０を含む。ビーコンライトレンズ６０は、ビーコンライトエレメント４０に連結されている。
【００７５】
ビーコンライトレンズ６０は、１つまたは複数の剛体材料から形成されており、光は、１つまたは複数の剛体材料を通過することが可能である。適切な剛体材料の非限定的な例は、耐衝撃性ポリマー、熱可塑性ポリマー、熱硬化性ポリマー、複合材、ガラス、セラミック、セルロース、アクリル、および／または、それらの組み合わせなどを含む。ある実施形態では、ビーコンライトレンズ６０は、ガラス、ポリメチルメタアクリレート、ポリカーボネート樹脂、ポリスチレン樹脂、スチレン−アクリロニトリル樹脂、セルロースアセテート、ポリプロピレン、ナイロン、ポリクロロトリフルオロエチレン、エチレン−テトラフルオロエチレンコポリマー、ポリ塩化ビニリデン、フッ化エチレン／プロピレンコポリマー、ポリエチレンテレフタレート、シリッククラス（silic class）、または、それらの組み合わせから形成されている。ある実施形態では、ビーコンライトレンズ６０は、透明な材料または半透明の材料から形成されている。「透明な」材料は、すべての光または１００％の光が材料を通過することを可能にする。「半透明の」材料は、０％超から１００％未満の光が材料を通過することを可能にする。
【００７６】
ビーコンライトレンズ６０は、所定の断面形状を有している。断面形状は、本明細書で開示されている任意の断面形状であることが可能である。図１９は、円形断面形状を有するビーコンライトレンズ６０を示している。
【００７７】
ある実施形態では、ビーコンライトレンズ６０は、ビーコンライトエレメント４０およびボタンパッド４８に連結されている。さらなる実施形態では、ビーコンライトレンズ６０は、ボタンパッド４８のビーコンライトエレメント４０および上部表面５０に連結されている。
【００７８】
ビーコンライトレンズ６０は、ビーコンライトエレメント４０と整合させられており、ビーコンライトエレメント４０から放出された光がビーコンライトレンズ６０を通過するようになっている。
【００７９】
ある実施形態では、上部ハウジング１２は、図２に示されているように、ビーコンライトレンズ開口部６２を有している。「ビーコンライトレンズ開口部」は、ビーコンライトレンズ６０を受け入れるようにサイズ決めされた上部ハウジング１２の壁部１４の中の空洞部であり、ビーコンライトレンズ６０の少なくとも一部分が上部ハウジング１２を通って延在することができるようになっている。
【００８０】
ある実施形態では、ビーコンライトレンズ６０は、図１８に示されているように、上部部分６０ａおよび底部部分６０ｂを有している。上部部分６０ａは、底部部分６０ｂの直径よりも小さい（＜）直径を有している。
【００８１】
ある実施形態では、ビーコンライトレンズ６０は、図１８に示されているように、底部部分６０ｂの中の反射表面６１を有している。「反射表面」は、光を反射することができる平面である。ある実施形態では、平面は、たとえば、金属（たとえば、ニッケル、クロム、アルミニウム、金、銀、および、それらの組み合わせ）またはポリマー材料などの反射性材料によってコーティングされ、反射表面を形成する。ある実施形態では、反射性材料は、平面の上に真空堆積され、反射表面を形成する。ある実施形態では、反射表面６１は、図１８に示されているように、円錐状の形状を有している。ビーコンライトエレメント４０から放出された光は、反射表面６１に反射し、ビーコンライトレンズ６０の上部部分６０ａを通って投射する。
【００８２】
ある実施形態では、上部ハウジング１２は、ビーコンライトレンズ６０の底部部分６０ｂではなく、ビーコンライトレンズ６０の上部部分６０ａを受け入れるようにサイズ決めされたビーコンライトレンズ開口部６２を有している。結果的に、ビーコンライトレンズ６０の底部部分６０ｂは、上部ハウジング１２の底部表面１８の下方に、安全ライト１０の中に含有されている。ある実施形態では、ビーコンライトレンズ６０の底部部分６０ｂは、上部ハウジング１２の底部表面１８の下方に、および、ボタンパッド４８の上部表面５０の上方に、安全ライト１０の中に含有されている。換言すれば、ビーコンライトレンズ６０の底部部分６０ｂは、ボタンパッド４８と上部ハウジング１２との間に位置決めされており、ビーコンライトレンズ６０の上部部分６０ａは、上部ハウジング１２の壁部１４を通って延在している。
【００８３】
ビーコンライトレンズ６０は、上部ハウジング１２の上部表面１６を越えて突出していてもよく、または、突出していなくてもよい。ある実施形態では、ビーコンライトレンズ６０は、図１、図６０、および図６８に示されているように、上部ハウジング１２の上部表面１６を越えて突出している。
【００８４】
安全ライト１０は、同じ数のビーコンライトエレメント４０およびビーコンライトレンズ６０を含む。ある実施形態では、安全ライト１０は、１個から２個、または３個、または４個までのビーコンライトレンズ６０を含む。ある実施形態では、安全ライト１０は、１個のおよび１個だけのビーコンライトレンズ６０を含む。
【００８５】
本明細書で開示されているビーコンライトレンズ６０は、２つ以上の実施形態を含むことが可能である。
【００８６】
Ｇ．  レンズ
安全ライト１０は、レンズ６４を含み、レンズ６４は、ＰＣＢＡ２４の底部表面２８および複数のライトエレメント３６に連結されており、レンズ６４は、図１および図２１〜図２９に示されているように、角度付きの反射表面６６および複数の側部表面６８を有している。
【００８７】
レンズ６４は、本明細書で開示されている任意のレンズ材料から形成され得る。ある実施形態では、レンズ６４は、透明な材料または半透明の材料から形成されている。
【００８８】
ある実施形態では、レンズ６４は、図２１および図２２に示されているように、上部表面７０および底部表面７２を含む、２つの対向する表面を有している。レンズ６４の上部表面７０は、レンズ６４の底部表面７２に対して平行に配向されている。本明細書で使用されているような「平行」という用語は、上部表面７０が、レンズ６４の底部表面７２と同じ方向に、または、実質的に同じ方向に延在しているということを示している。図２９は、互いに平行になっている上部表面７０および底部表面７２を示している。
【００８９】
ある実施形態では、レンズ６４は、反射表面である底部表面７２を有している。「反射表面」は、光を反射することができる平面である。ある実施形態では、平面は、たとえば、金属（たとえば、ニッケル、クロム、アルミニウム、金、銀、および、それらの組み合わせ）またはポリマー材料などの反射性材料によってコーティングされ、反射表面を形成する。ある実施形態では、反射性材料は、平面の上に真空堆積され、反射表面を形成する。
【００９０】
レンズ６４は、角度付きの反射表面６６を含む。「角度付きの反射表面」は、レンズ６４の上部表面７０、レンズの底部表面７２、またはそれらの組み合わせから、９０°以外の角度で延在する平面であり、その平面は、複数のライトエレメント３６から放出された光を反射することができる。角度付きの反射表面６６は、平坦になっているかまたは湾曲していることが可能である。ある実施形態では、角度付きの反射表面６６は、平坦になっており、または、湾曲していない。図２１〜図２９は、平坦な角度付きの反射表面６６を備えたレンズ６４を示している。
【００９１】
ある実施形態では、底部表面７２と角度付きの反射表面６６との間の角度Ｘは、図２９に示されているように、１１０°、または１１５°、または１２０°、または１２５°から、１３０°、または１３５°、または１４０°、または１４５°、または１５０°までになっている。ある実施形態では、底部表面７２と角度付きの反射表面６６との間の角度Ｘは、１３５°である。
【００９２】
ある実施形態では、レンズ６４は、１個から２個、または３個、または４個、または５個、または６個、または７個、または８個、または９個、または１０個、または１２個、または１４個、または１６個、または１８個、または２０個、または２２個、または２４個、または２６個、または２８個、または３０個、または４０個までの角度付きの反射表面６６を含む。本開示の目的のために、レンズ６４の底部表面７２と角度付きの反射表面６６との間の、１１０°、または１１５°、または１２０°、または１２５°から１３０°、または１３５°、または１４０°、または１４５°、または１５０°までの同じ角度Ｘを有するそれぞれの角度付きの反射表面６６は、図２１〜図２９に示されているように、「第１の角度付きの反射表面」６６ａを構成するものとする。しかし、図２１〜図２９に示されている第１の角度付きの反射表面６６ａは、図２６に示されているように、１８個の個々の平坦な角度付きの反射表面６６を含むということが理解される。
【００９３】
ある実施形態では、上部表面７０と角度付きの反射表面６６との間の角度Ｙは、図２９に示されているように、１１０°、または１１５°、または１２０°、または１２５°から、１３０°、または１３５°、または１４０°、または１４５°、または１５０°までにある。ある実施形態では、上部表面７０と角度付きの反射表面６６との間の角度Ｙは、１３５°である。
【００９４】
ある実施形態では、レンズ６４は、図２１〜図２９に示されているように、第１の角度付きの反射表面６６ａおよび第２の角度付きの反射表面６６ｂを含む。本開示の目的のために、レンズ６４の上部表面７０と角度付きの反射表面６６との間の、１１０°、または１１５°、または１２０°、または１２５°から１３０°、または１３５°、または１４０°、または１４５°、または１５０°までの同じ角度Ｙを有するそれぞれの角度付きの反射表面６６は、図２１〜図２９に示されているように、「第２の角度付きの反射表面」６６ｂを構成するものとする。しかし、図２１〜図２９に示されている第２の角度付きの反射表面６６ｂは、図２１および図２５に示されているように、１４個の個々の平坦な角度付きの反射表面を含むということが理解される。
【００９５】
ある実施形態では、レンズ６４は、第１の角度付きの反射表面６６ａおよび第２の角度付きの反射表面６６ｂを含み、第１の角度付きの反射表面６６ａと第２の角度付きの反射表面６６ｂとの間の角度Ｚは、図２９に示されているように、８０°または８５°から、９０°、または９５°、または１００°までにある。ある実施形態では、レンズ６４は、第１の角度付きの反射表面６６ａおよび第２の角度付きの反射表面６６ｂを含み、第１の角度付きの反射表面６６ａと第２の角度付きの反射表面６６ｂとの間の角度Ｚは、９０°である。
【００９６】
第１の角度付きの反射表面６６ａおよび第２の角度付きの反射表面６６ｂは、レンズ６４の周辺部７４の周りに連続的になっていてもよく、または、連続的になっていなくてもよい。図２１〜図２９は、レンズ６４の周辺部７４の周りに連続的になっていない第１の角度付きの反射表面６６ａおよび第２の角度付きの反射表面６６ｂを示しており、むしろ、それらは、非連続的になっている。
【００９７】
ある実施形態では、レンズ６４は、第１の角度付きの反射表面６６ａを含み、底部表面７２と第１の角度付きの反射表面６６ａとの間の角度Ｘは、１３５°である。別の実施形態では、レンズ６４は、第２の角度付きの反射表面６６ｂを含み、上部表面７０と第２の角度付きの反射表面６６ｂとの間の角度Ｙは、１３５°である。さらなる実施形態では、第１の角度付きの反射表面６６ａと第２の角度付きの反射表面６６ｂとの間の角度Ｚは、９０°である。
【００９８】
レンズ６４は、複数の側部表面６８を有している。ある実施形態では、レンズ６４は、４個から５個、または６個、または７個、または８個までの側部表面６８を含む。ある実施形態では、レンズ６４は、４個の側部表面６８を含む。ある実施形態では、レンズ６４は、図２１〜図２４、図２７、および図２８に示されているように、前方側部表面６８ａ、後方側部表面６８ｂ、左側側部表面６８ｃ、および右側側部表面６８ｄを含む。それぞれの側部表面６８は、図２９に示されているように、レンズ６４の上部表面７０および底部表面７２に対して垂直に延在している。レンズ６４の上部表面７０および底部表面７２に対して「垂直に」延在する側部表面６８は、レンズ６４の上部表面７０および底部表面７２と９０°の角度になっている。それぞれの側部表面６８は、平坦になっているかまたは湾曲していることが可能である。図２９は、平坦な側部表面６８を備えたレンズ６４を示している。
【００９９】
側部表面６８は、レンズ６４の周辺部７４の周りに連続的な様式で延在している。
【０１００】
側部表面６８は、反射性でない。換言すれば、光は、レンズ６４の側部表面６８によって反射されるのではなく、むしろ、側部表面６８を通って透過または投射する。
【０１０１】
ある実施形態では、複数のライトエレメント３６は、ＰＣＢＡ２４の底部表面２８から離れるように方向付けられた光を放出し、光は、レンズ６４の第１の角度付きの反射表面６６ａに反射し、レンズ６４の複数の側部表面６８を通って投射する。入射の角度（すなわち、光が反射表面に当たる角度）は、反射の角度（すなわち、光が反射表面で反射する角度）に等しいということが理解される。したがって、現在の安全ライト１０は、有利には、たとえば、レンズ６４の上部表面７０と９０°の角度などで、そのライトエレメント３６を下向きに方向付けし、依然として、レンズ６４の上部表面７０に対して平行または実質的に平行の方向に、レンズ６４の複数の側部表面６８を通して外向きに光を投射することが可能である。この構成は、ライトエレメント３６がレンズの背後（すなわち、レンズに対して平行）というよりもレンズ６４の上方に位置付けされることを可能にし、従来の安全ライトと比較して、より小さい長さおよび幅を有する安全ライト１０を可能にする。
【０１０２】
ある実施形態では、レンズ６４は、図２１、図２７、および図２８に示されているように、レンズ６４の上部表面７０に連結されている複数のライトポスト７６を含む。レンズ６４およびライトポスト７６は、一体設計または複合設計を有することが可能である。「一体設計」を有するライトポスト７６を備えたレンズ６４は、成形されたピースなどのような、ワンピースの剛体材料から形成されている。「複合設計」を有するライトポスト７６を備えたレンズ６４は、２つ以上の個別のピース（または、パーツ）から形成されており、それらは、組み立てのときに組み合わせられる。それぞれのライトポスト７６は、ライトエレメント３６に連結されている。したがって、安全ライト１０は、同じ数のライトエレメント３６およびライトポスト７６を含む。ライトポスト７６は、有利には、レンズ６４と複数のライトエレメント３６との間の分離を低減させ、したがって、レンズ６４と複数のライトエレメント３６との間に存在する空気の量を低減させる。レンズ６４と複数のライトエレメント３６との間の空気の低減は、空気の中で起こる光消散および減衰の量を低減させ、より多くの光がレンズ６４に進入することを結果として生じさせる。
【０１０３】
それぞれのライトポスト７６は、所定の形状を有している。適切な形状の非限定的な例は、正四角柱、直方体、円柱、錐台、五角柱、不等辺四角柱、およびそれらの組み合わせを含む。図２１は、直方体形状を有するライトポスト７６を示している。
【０１０４】
本明細書で開示されているレンズ６４は、２つ以上の実施形態を含むことが可能である。
【０１０５】
ある実施形態では、レンズ３６４は、図８０に示されているように、レンズ３６４の上部表面３７０に連結されている複数のスペーシングポスト３７７を含む。レンズ３６４およびスペーシングポスト３７７は、一体設計または複合設計を有することが可能である。「一体設計」を有するスペーシングポスト３７７を備えたレンズ３６４は、成形されたピースなどのような、ワンピースの剛体材料から形成されている。「複合設計」を有するスペーシングポスト３７７を備えたレンズ３６４は、２つ以上の個別のピース（または、パーツ）から形成されており、それらは、組み立てのときに組み合わせられる。スペーシングポスト３７７は、図８０に示されているように、ライトポスト３７６同士の間に位置決めされている。それぞれのスペーシングポスト３７７は、高さＨＳを有しており、高さＨＳは、レンズ上部表面３７０とスペーシングポスト上部表面３７９との間の距離である。それぞれのライトポスト３７６は、高さＨＰを有しており、高さＨＰは、レンズ上部表面３７０とライトポスト上部表面３７９との間の距離である。それぞれのスペーシングポスト３７７は、図８０に示されているように、それぞれのライトポスト３７６の高さＨＰよりも大きい高さＨＳを有している。ＰＣＢＡ底部表面は、それぞれのスペーシングポスト３７７の上部表面３７９と接触している。ＰＣＢＡ底部表面がそれぞれのスペーシングポスト３７７の上部表面３７９と接触しているときには、ギャップ（すなわち、空洞部）が、それぞれのライトポスト３７６の上部表面３７５とそれぞれのライトエレメントとの間に存在している。換言すれば、ライトエレメントは、レンズ３６４と直接的に接触しておらず、さらに、ライトポスト３７６と直接的に接触していない。ギャップは、ライトエレメントとレンズ３６４との間の直接的な接触によって引き起こされ得る潜在的な損傷からライトエレメントを保護する。本明細書で使用されているように、「直接的な接触」は、所定の構成を表しており、その構成によって、ライトエレメントがレンズ３６４に直ぐ隣接して位置付けされ、ライトエレメントがレンズ３６４に触れており、介在する構造体、実質的な空洞部、または空洞部が、ライトエレメントとレンズ３６４との間に存在しない。
【０１０６】
ある実施形態では、それぞれのライトポスト３７６は、１ｍｍ、または１．５ｍｍ、または１．９ｍｍから２．０ｍｍまたは２．５ｍｍまでにある高さＨＰを有している。
【０１０７】
ある実施形態では、それぞれのスペーシングポスト３７７は、２．６ｍｍ、または２．７ｍｍ、または２．８ｍｍから２．９ｍｍ、または３．０ｍｍ、または３．２ｍｍ、または３．５ｍｍまでにある高さＨＳを有している。
【０１０８】
ある実施形態では、それぞれのライトポスト３７６は、１ｍｍ、または１．５ｍｍ、または１．９ｍｍから２．０ｍｍまたは２．５ｍｍである高さＨＰを有しており、それぞれのスペーシングポスト３７７は、２．６ｍｍ、または２．７ｍｍ、または２．８ｍｍから２．９ｍｍ、または３．０ｍｍ、または３．２ｍｍ、または３．５ｍｍまでにある高さＨＳを有している。さらなる実施形態では、それぞれのライトポスト３７６は、１．９ｍｍから２．０ｍｍまでにある高さＨＰを有しており、それぞれのスペーシングポスト３７７は、２．８ｍｍから２．９ｍｍまでにある高さＨＳを有している。
【０１０９】
ある実施形態では、レンズ３６４は、２個、または３個、または４個から５個、または６個、または７個、または８個、または１０個までのスペーシングポスト３７７を含む。さらなる実施形態では、レンズ３６４は、８個のスペーシングポスト３７７を含み、それぞれのスペーシングポストは、ライトポスト３７６同士の間に位置決めされている。
【０１１０】
本明細書で開示されているレンズ３６４は、２つ以上の実施形態を含むことが可能である。
【０１１１】
Ｈ．  ゴムシール
ある実施形態では、安全ライト１０は、図１および図３０〜図３９に示されているように、ゴムシール７８を含む。
【０１１２】
ゴムシール７８は、ゴム加工されたガスケットとしての役割を果たし、ゴム加工されたガスケットは、レンズ６４と底部ハウジング９４との間に防水シールまたは半防水シールを形成している。
【０１１３】
ゴムシール７８は、所定の断面形状を有している。その断面形状は、本明細書で開示されている任意の断面形状であることが可能である。ゴムシール７８は、上部ハウジング１２の断面形状と同じ断面形状を有している。図３８および図３９は、長方形断面形状を有するゴムシール７８を示している。
【０１１４】
ゴムシール７８は、図３０および図３２に示されているように、上部表面８０および底部表面８２を含む、２つの対向する表面を有している。
【０１１５】
ある実施形態では、ゴムシール７８は、図３４〜図３５に示されているように、上部部分７８ａおよび底部部分７８ｂを有している。ある実施形態では、レンズ６４は、ゴムシール７８の上部部分７８ａを受け入れるようにサイズ決めされている。ある実施形態では、ゴムシール７８の上部部分７８ａは、レンズ６４およびＰＣＢＡ２４に連結されている。
【０１１６】
ある実施形態では、ゴムシール７８は、図３０および図３３に示されているように、複数のネジ山付き開口部８４を含む。「ネジ山付き開口部」は、スクリューなどのようなネジ山付き締結具１１４を受け入れるようにサイズ決めされたゴムシール７８の中の空洞部である。ネジ山付き開口部８４は、ネジ山付き締結具１１４がゴムシール７８を通って延在することを可能にする。ある実施形態では、ゴムシール７８のネジ山付き開口部８４は、ＰＣＢＡ２４のネジ山付き開口部３８と整合しており、それは、ボタンパッド４８のネジ山付き開口部５６と整合しており、それは、上部ハウジング１２のネジ山付きコネクター２２と整合しており、ネジ山付き締結具１１４が、ゴムシール７８、ＰＣＢＡ２４、およびボタンパッド４８を通って延在し、上部ハウジング１２に接続することができるようになっている。ある実施形態では、ゴムシール７８は、２個または３個から、４個、または５個、または６個までのネジ山付き開口部８４を含む。ある実施形態では、ゴムシール７８は、４個のネジ山付き開口部８４を含む。
【０１１７】
ある実施形態では、ゴムシール７８は、図３８および図３９に示されているように、再充電可能な電源開口部８６を含む。「再充電可能な電源開口部」は、再充電可能な電源３２を受け入れるようにサイズ決めされたゴムシール７８の中の空洞部である。ある実施形態では、再充電可能な電源３２は、ゴムシール７８に連結されている。
【０１１８】
ある実施形態では、ゴムシール７８は、図３８および図３９に示されているように、再充電ポート開口部８８を含む。「再充電ポート開口部」は、再充電ポート３４を受け入れるようにサイズ決めされたゴムシール７８の中の空洞部である。適切な再充電ポート３４の非限定的な例は、図４１に示されているように、ユニバーサルシリアルバス（ＵＳＢ）ポートである。再充電ポート３４は、ＰＣＢＡ２４および再充電可能な電源３２に電気的に接続されている。
【０１１９】
ある実施形態では、ゴムシール７８は、図３２および図３３に示されているように、再充電ポートカバー９０を含む。ある実施形態では、再充電ポートカバー９０は、可撓性のヒンジ９２によって、ゴムシール７８の底部部分７８ｂに取り付けられている。図３２および図３３は、可撓性のヒンジ９２によってゴムシール７８の底部部分７８ｂに取り付けられている再充電ポートカバー９０を示している。可撓性のヒンジ９２は、図３０および図６５に示されているように、再充電ポートカバー９０が開位置になっているときに、再充電ポート３４へのアクセスを許容する。再充電ポートカバー９０が閉位置になっているときには、再充電ポートカバー９０は、再充電ポート３４の上方に保護シールを生成させ、破片および湿分が再充電ポート３４に進入することを防止する。
【０１２０】
本明細書で開示されているゴムシール７８は、２つ以上の実施形態を含むことが可能である。
【０１２１】
Ｉ．  底部ハウジング
安全ライト１０は、図４２〜図４６に示されているように、底部ハウジング９４を含む。
【０１２２】
底部ハウジング９４は、レンズ６４に連結されている。ある実施形態では、底部ハウジング９４は、ゴムシール７８を介してレンズ６４に連結されており、ゴムシール７８が底部ハウジング９４とレンズ６４との間に位置決めされるようになっている。
【０１２３】
底部ハウジング９４は、剛体材料から形成されている。剛体材料は、本明細書で開示されている任意の剛体材料であることが可能である。
【０１２４】
底部ハウジング９４は、図４５および図５９に示されているように、壁部１０４を有している。
【０１２５】
底部ハウジング９４は、図４２および図４４に示されているように、上部表面９６および底部表面９８を含む、２つの対向する表面を有している。ある実施形態では、底部ハウジング９４の上部表面９６は、ゴムシール７８の底部表面８２に連結されている。
【０１２６】
ある実施形態では、底部ハウジング９４は、複数の側部表面１００を含む。ある実施形態では、側部表面１００は、図４２および図４３に示されているように、前方表面１００ａ、後方表面１００ｂ、左側表面１００ｃ、および右側表面１００ｄを含む。
【０１２７】
底部ハウジング９４は、所定の断面形状を有している。その断面形状は、本明細書で開示されている任意の断面形状であることが可能である。底部ハウジング９４の断面形状は、上部ハウジング１２の同じ断面形状である。図４５および図４６は、長方形断面形状を有する底部ハウジング９４を示している。
【０１２８】
ある実施形態では、底部ハウジング９４は、図４５および図４６に示されているように、複数のネジ山付き開口部１０２を含む。「ネジ山付き開口部」は、スクリューなどのようなネジ山付き締結具１１４を受け入れるようにサイズ決めされた底部ハウジング９４の中の空洞部である。ネジ山付き開口部１０２は、ネジ山付き締結具（または、ネジ山付き締結具１１４の一部分）が底部ハウジング９４の壁部１０４を通って延在することを可能にする。ある実施形態では、底部ハウジング９４のネジ山付き開口部１０２は、ゴムシール７８のネジ山付き開口部８４と整合しており、それは、ＰＣＢＡ２４のネジ山付き開口部３８と整合しており、それは、ボタンパッド４８のネジ山付き開口部５６と整合しており、それは、上部ハウジング１２のネジ山付きコネクター２２と整合しており、ネジ山付き締結具１１４が、底部ハウジング９４、ゴムシール７８、ＰＣＢＡ２４、およびボタンパッド４８を通って延在し、上部ハウジング１２に接続することができるようになっている。ある実施形態では、ネジ山付き開口部１０２は、幅の狭い直径部分および幅の広い直径部分を有しており、ネジ山付き締結具１１４の一部分（たとえば、スクリューのヘッド）が底部ハウジング９４の壁部１０４を通って延在することができないようになっている。ある実施形態では、底部ハウジング９４は、２個または３個から、４個、または５個、または６個までのネジ山付き開口部１０２を含む。ある実施形態では、底部ハウジング９４は、４個のネジ山付き開口部１０２を含む。
【０１２９】
ある実施形態では、底部ハウジング９４は、図４５および図４６に示されているように、再充電ポート開口部１０６を含む。「再充電ポート開口部」は、再充電ポートカバー９０を受け入れるようにサイズ決めされた底部ハウジング９４の壁部１０４の中の空洞部である。底部ハウジング９４の中の再充電ポート開口部１０６は、ゴムシール７８の中の再充電ポート開口部８８と整合させられている。
【０１３０】
ある実施形態では、底部ハウジング９４は、磁石１０８を含む。適切な磁石の非限定的な例が、図４７に示されている。磁石は、所定の形状を有している。適切な形状の非限定的な例は、正四角柱、直方体、円柱、錐台、五角柱、不等辺四角柱、角錐、および、それらの組み合わせを含む。図４７は、円柱形状を有する磁石１０８を示している。
【０１３１】
磁石１０８を含む安全ライト１０は、有利には、磁気的な材料または磁気的な物品に磁気的に連結され得る。磁気的な物品の非限定的な例は、自動車、オートバイ、自転車、磁石を含有するスタンド、ヘルメット、ヘルメットマウント、ボート（たとえば、カヤック、モーターボート、およびカヌー）、および装着プレートを含む。装着プレートの非限定的な例は、米国特許第９，４７８，１０８号明細書に開示されている装着プレートであり、その開示全体は、参照により本明細書に組み込まれている。物品は、磁石１０８と磁気的な材料または磁気的な物品との間に配設され得る。たとえば、ユーザーの衣料品（たとえば、ジャケットまたはシャツ）は、装着プレートと磁石１０８との間に配設され得り、磁石１０８は、ユーザーの衣料品を通して装着プレートに連結されており、それによって、安全ライト１０をユーザーの衣類に解放可能に取り付ける。適切な物品の非限定的な例は、衣類、ヘルメット、バックパック、ベルト、テント、ウィンドウ、ボート（たとえば、ボートサイディング）、コンテナ、道路標識、および、それらの組み合わせを含む。
【０１３２】
適切な磁石１０８の非限定的な例は、ネオジム鉄ホウ素である。ある実施形態では、磁石１０８は、シリコーンコーティングなどのような耐水コーティングの中に実質的にカプセル化されているか、または、完全にカプセル化されている。
【０１３３】
ある実施形態では、底部ハウジング９４は、図４２および図４４に示されているように、磁石ブラケット１１０を含む。「磁石ブラケット」は、磁石１０８を受け入れて保つようにサイズ決めされている突起部である。図４３および図４４に示されているように、磁石ブラケット１１０は、底部ハウジング９４の壁部１０４の中の空洞部を含み、空洞部は、磁石１０８の直径よりも小さい直径を有している。磁石ブラケット１１０および底部ハウジング９４は、一体設計または複合設計を有することが可能である。
【０１３４】
磁石ブラケット１１０および磁石１０８は、相互的な形状を有している。たとえば、磁石１０８が円柱形状を有しているときには、磁石ブラケット１１０は、図６１に示されているように、磁石１０８を受け入れて保つようにサイズ決めされた円柱形状を有している。
【０１３５】
ある実施形態では、磁石１０８は、磁石ブラケット１１０に連結されている。別の実施形態では、磁石１０８は、ゴムシール７８の底部表面８２に連結されている。ある実施形態では、磁石１０８は、図４８、図４９、図５９、および図６１に示されているように、接着剤１１２を介してゴムシール７８の底部表面８２に連結されている。
【０１３６】
本明細書で開示されている底部ハウジング９４は、２つ以上の実施形態を含むことが可能である。
【０１３７】
Ｊ．  安全ライト
本開示は、図１および図５０〜図６９に示されているように、安全ライト１０を提供する。安全ライト１０は、壁部１４を有する上部ハウジング１２と、上部ハウジング１２に連結されているＰＣＢＡ２４とを含み、ＰＣＢＡ２４は、上部表面２６および底部表面２８を有している。また、安全ライト１０は、ＰＣＢＡ２４の底部表面２８に連結されている複数のライトエレメント３６を含み、ＰＣＢＡ２４は、第１の制御ボタン４２の押下に続いて、複数のライトエレメント３６を励起するようにプログラムされている。安全ライト１０は、ＰＣＢＡ２４の底部表面２８および複数のライトエレメント３６に連結されているレンズ６４を含み、レンズ６４は、第１の角度付きの反射表面６６ａおよび複数の側部表面６８を有している。また、安全ライト１０は、レンズ６４に連結されている底部ハウジング９４を含む。ある実施形態では、安全ライトは、ＰＣＢＡ２４の上部表面２６に連結されているビーコンライトエレメント４０と、ビーコンライトエレメント４０に連結されているビーコンライトレンズ６０とを含み、ビーコンライトレンズ６０は、上部ハウジング１２の壁部１４を通って延在しており、ＰＣＢＡ２４は、第２の制御ボタン４２ｂの押下に続いて、ビーコンライトエレメント４０を励起するようにプログラムされている。
【０１３８】
図４８および図４９は、本安全ライト１０の実施形態の分解図を示している。
【０１３９】
ある実施形態では、安全ライト１０は、壁部１４を備えた上部ハウジング１２と、上部ハウジング１２に連結されているＰＣＢＡ２４とを含む。ＰＣＢＡ２４は、上部表面２６、底部表面２８、および再充電可能な電源３２を含む。また、安全ライト１０は、ＰＣＢＡ２４の底部表面２８に連結されている複数のライトエレメント３６を含み、ＰＣＢＡ２４は、第１の制御ボタン４２ａの押下に続いて、第１のグループ３６ａの複数のライトエレメント３６を励起するようにプログラムされており、第２の制御ボタン４２ｂの押下に続いて、第２のグループ３６ｂの複数のライトエレメント３６を励起するようにプログラムされている。安全ライト１０は、ＰＣＢＡ２４の上部表面２６に連結されているビーコンライトエレメント４０を有しており、ＰＣＢＡ２４は、第３の制御ボタン４２ｃの押下に続いて、ビーコンライトエレメント４０を励起するようにプログラムされている。ビーコンライトレンズ６０は、ビーコンライトエレメント４０に連結されており、ビーコンライトレンズ６０は、上部ハウジング１２の壁部１４を通って延在している。レンズ６４は、ＰＣＢＡ２４の底部表面２８および複数のライトエレメント３６に連結されており、レンズ６４は、第１の角度付きの反射表面６６ａ、底部反射表面７２、および複数の側部表面６８を有しており、底部反射表面７２と第１の角度付きの反射表面６６ａとの間の角度Ｘは、１１０°から１５０°である。また、安全ライト１０は、レンズ６４に連結されている底部ハウジング９４を含み、底部ハウジング９４は、磁石１０８を含有している。
【０１４０】
ある実施形態では、本開示は、図７１〜図７９に示されているように、安全ライト２１０を提供する。安全ライト２１０は、壁部２１４を備えた上部ハウジング２１２と、上部ハウジング２１２に連結されているＰＣＢＡであって、ＰＣＢＡは、上部表面および底部表面を有している、ＰＣＢＡと、ＰＣＢＡの底部表面に連結されている複数のライトエレメントと、ＰＣＢＡの底部表面および複数のライトエレメントに連結されているレンズ２６４であって、レンズ２６４は、第１の角度付きの反射表面および複数の側部表面２６８を有している、レンズ２６４と、レンズ２６４に連結されている底部ハウジング２９４とを含む。底部ハウジング２９４は、図７１および図７９に示されているように、ヒンジ２９２を含む。ヒンジ２９２は、底部ハウジング側部表面３００から延在する突起部である。ヒンジ２９２は、再充電ポートカバー２９０を受け入れるようにサイズ決めされている。図７７および図７８は、再充電ポートカバー２９０を示しており、再充電ポートカバー２９０は、底部ハウジング２９４の側部表面３００から延在するヒンジ２９２に取り付けられている。再充電ポートカバー２９０は、ヒンジ２９２の軸線の周りに回転することが可能である。図７７および図７８では、再充電ポートカバー２９０は、閉位置になっており、再充電ポートカバー２９０が、再充電ポート２３４の上方に保護シールを生成させ、破片および湿分が再充電ポート２３４に進入することを防止するようになっている。図７２および図７８に示されているように、再充電ポートカバー２９０は、１個または複数の湾曲した端部２９１を有することが可能である。湾曲した端部２９１は、ユーザーが再充電ポートカバー２９０をより容易にグリップし、再充電ポートカバー２９０を閉位置から開位置へ移動させることを可能にする。ある実施形態では、再充電ポートカバーは、図７７および図７８に示されているように、２個の湾曲した端部２９１を含む。図７９は、再充電ポートカバー２９０が除去されている安全ライト２１０を示している。図７９に示されているように、再充電ポート２３４は、再充電ポートカバー２９０がないときには、環境に開口しており、または、開位置になっている。
【０１４１】
ある実施形態では、底部ハウジング２９４は、図７７に示されているように、露出された端部２９７を有するネジ山付きアタッチメント２９５を含む。露出された端部２９７は、環境に開口している。「ネジ山付きアタッチメント」は、スクリューまたはポストなどのようなネジ山付き物品を受け入れるようにサイズ決めされたコンポーネントである。ネジ山付き物品は、本明細書で開示されている任意のネジ山付き締結具であることが可能である。ネジ山付きアタッチメント２９５は、安全ライト２１０がネジ山付き物品に解放可能に取り付けられることを可能にする。ある実施形態では、ネジ山付き物品は、自転車またはボートに取り付けられているポストである。ネジ山付きアタッチメント２９５は、金属などのような１つまたは複数の剛体材料から形成されている。
【０１４２】
ある実施形態では、底部ハウジング２９４は、１個または２個から３個、または４個、または５個までのネジ山付きアタッチメント２９５を含む。図７７は、２個のネジ山付きアタッチメント２９５を備えた底部ハウジング２９４を示している。ネジ山付きアタッチメント２９５は、底部ハウジング２９４の底部表面２９８に連結されている。
【０１４３】
ある実施形態では、複数のライトエレメント３６は、ＰＣＢＡ２４の底部表面２８から離れるように方向付けられた光を放出し、光は、レンズ６４、２６４の第１の角度付きの反射表面６６ａに反射し、レンズ６４、２６４の複数の側部表面６８、２６８を通って投射する。
【０１４４】
ある実施形態では、安全ライト１０、２１０は、レンズ側部表面６８（６８ａ、６８ｂ、６８ｃ、６８ｄ）（２６８）のそれぞれを通って光を投射することができる。別の実施形態では、安全ライト１０、２１０は、レンズ側部表面６８（６８ａ、６８ｂ、６８ｃ、６８ｄ）（２６８）およびビーコンライトレンズ６０（図７１の中の２６０）のそれぞれを通して光を投射することができる。
【０１４５】
ある実施形態では、安全ライト１０、２１０は、音声信号を放出するように構成されている。
【０１４６】
ある実施形態では、安全ライト１０、２１０は、ＧＰＳ能力を備えて構成されている。
【０１４７】
ある実施形態では、安全ライト１０、２１０は、上部ハウジング１２、２１２および／または底部ハウジング９４、２９４に連結されている固定メカニズム（図示せず）をさらに含む。固定メカニズムの非限定的な例は、ピン、クリップ、クランプ、クラスプ、ベルト、スナップ、タイ、ランヤード、Ｖｅｌｃｒｏ、および、それらの組み合わせを含む。
【０１４８】
ある実施形態では、安全ライト１０、２１０は、着用可能である。「着用可能な」安全ライトは、ユーザーに取り付けられることができ、たとえば、ユーザーの衣類、ヘルメット、またはアクセサリー（たとえば、バックパック）に取り付けられることができる。
【０１４９】
ある実施形態では、安全ライト１０、２１０は、磁気的な物品に連結可能である。
【０１５０】
ある実施形態では、安全ライト１０、２１０は、５０グラム（ｇ）、または６０ｇ、または７０ｇ、または７５ｇから、８０ｇ、または８５ｇ、または９０ｇ、または１００ｇ、または１２０ｇ、または１５０ｇまでの重量を有している。
【０１５１】
安全ライト１０、２１０は、図５０に示されているように、長さＬを有している。ある実施形態では、安全ライト１０、２１０は、２．５４ｃｍ（１インチ（ｉｎ））から９１．４４ｃｍ（３６ｉｎ）までの長さＬを有している。ある実施形態では、安全ライト１０、２１０は、２．５４ｃｍ（１ｉｎ）、または３．８１ｃｍ（１．５ｉｎ）から、５．０８ｃｍ（２ｉｎ）、または６．３５ｃｍ（２．５ｉｎ）、または７．６２ｃｍ（３ｉｎ）、または８．８９ｃｍ（３．５ｉｎ）、または１０．１６ｃｍ（４ｉｎ）、または１１．４３ｃｍ（４．５ｉｎ）、または１２．７ｃｍ（５ｉｎ）、または１３．９７ｃｍ（５．５ｉｎ）、または１５．２４ｃｍ（６ｉｎ）までの長さＬを有している。別の実施形態では、安全ライト１０、２１０は、１０．１６ｃｍ（４ｉｎ）、または１１．４３ｃｍ（４．５ｉｎ）、または１２．７ｃｍ（５ｉｎ）、または１３．９７ｃｍ（５．５ｉｎ）、または１５．２４ｃｍ（６ｉｎ）、または２５．４ｃｍ（１０ｉｎ）から、３０．４８ｃｍ（１２ｉｎ）、または３５．５６ｃｍ（１４ｉｎ）、または３８．１ｃｍ（１５ｉｎ）、または４０．６４ｃｍ（１６ｉｎ）、または４５．７２ｃｍ（１８ｉｎ）、または５０．８ｃｍ（２０ｉｎ）、または６０．９６ｃｍ（２４ｉｎ）、または７６．２ｃｍ（３０ｉｎ）、または８１．２８ｃｍ（３２ｉｎ）、または９１．４４ｃｍ（３６ｉｎ）までの長さＬを有している。
【０１５２】
安全ライト１０、２１０は、図５０に示されているように、幅Ｗを有している。ある実施形態では、安全ライト１０、２１０は、０．６３５ｃｍ（０．２５ｉｎ）から３０．４８ｃｍ（１２ｉｎ）までの幅Ｗを有している。ある実施形態では、安全ライト１０、２１０は、０．６３５ｃｍ（０．２５ｉｎ）、または１．２７ｃｍ（０．５ｉｎ）、または１．９０５ｃｍ（０．７５ｉｎ）から、２．５４ｃｍ（１ｉｎ）、または３．８１ｃｍ（１．５ｉｎ）、または５．０８ｃｍ（２ｉｎ）、または７．６２ｃｍ（３ｉｎ）、または８．８９ｃｍ（３．５ｉｎ）、または１０．１６ｃｍ（４ｉｎ）までの幅Ｗを有している。別の実施形態では、安全ライト１０、２１０は、７．６２ｃｍ（３ｉｎ）、または８．８９ｃｍ（３．５ｉｎ）、または１０．１６ｃｍ（４ｉｎ）、または１２．７ｃｍ（５ｉｎ）から、１３．９７ｃｍ（５．５ｉｎ）、または１５．２４ｃｍ（６ｉｎ）、１６．５１ｃｍ（６．５ｉｎ）、または１７．７８ｃｍ（７ｉｎ）、または１９．０５ｃｍ（７．５ｉｎ）、または２０．３２ｃｍ（８ｉｎ）、または２１．５９ｃｍ（８．５ｉｎ）、または２２．８６ｃｍ（９ｉｎ）、または２４．１３ｃｍ（９．５ｉｎ）、または２５．４ｃｍ（１０ｉｎ）、または２７．９４ｃｍ（１１ｉｎ）、または３０．４８ｃｍ（１２ｉｎ）までの幅Ｗを有している。
【０１５３】
安全ライト１０、２１０は、図５２に示されているように、高さＨを有している。安全ライト１０、２１０の高さＨは、再充電ポートカバー９０の高さを除外している。ある実施形態では、安全ライト１０、２１０は、０．６３５ｃｍ（０．２５ｉｎ）から３０．４８ｃｍ（１２ｉｎ）までの高さＨを有している。ある実施形態では、安全ライト１０、２１０は、０．６３５ｃｍ（０．２５ｉｎ）、または１．２７ｃｍ（０．５ｉｎ）から、１．９０５ｃｍ（０．７５ｉｎ）、または２．５４ｃｍ（１ｉｎ）、または３．１７５ｃｍ（１．２５ｉｎ）、または３．８１ｃｍ（１．５ｉｎ）、または４．４４５ｃｍ（１．７５ｉｎ）、または５．０８ｃｍ（２ｉｎ）までの高さＨを有している。別の実施形態では、安全ライト１０、２１０は、２．５４ｃｍ（１ｉｎ）、または３．１７５ｃｍ（１．２５ｉｎ）、または３．８１ｃｍ（１．５ｉｎ）、または４．４４５ｃｍ（１．７５ｉｎ）、または５．０８ｃｍ（２ｉｎ）から、６．３５ｃｍ（２．５ｉｎ）、または７．６２ｃｍ（３ｉｎ）、または８．８９ｃｍ（３．５ｉｎ）、または１０．１６ｃｍ（４ｉｎ）、または１２．７ｃｍ（５ｉｎ）ｔｏ１３．９７ｃｍ（５．５ｉｎ）、または１５．２４ｃｍ（６ｉｎ）、１６．５１ｃｍ（６．５ｉｎ）、または１７．７８ｃｍ（７ｉｎ）、または１９．０５ｃｍ（７．５ｉｎ）、または２０．３２ｃｍ（８ｉｎ）、または２１．５９ｃｍ（８．５ｉｎ）、または２２．８６ｃｍ（９ｉｎ）、または２４．１３ｃｍ（９．５ｉｎ）、または２５．４ｃｍ（１０ｉｎ）、または２７．９４ｃｍ（１１ｉｎ）、または３０．４８ｃｍ（１２ｉｎ）までの高さＨを有している。
【０１５４】
ある実施形態では、安全ライト１０、２１０は、２．５４ｃｍ（１インチ（ｉｎ））から９１．４４ｃｍ（３６ｉｎ）までの長さＬ、０．６３５ｃｍ（０．２５ｉｎ）から３０．４８ｃｍ（１２ｉｎ）までの幅Ｗ、および、０．６３５ｃｍ（０．２５ｉｎ）から３０．４８ｃｍ（１２ｉｎ）までの高さＨを有している。別の実施形態では、安全ライト１０、２１０は、２．５４ｃｍ（１インチ（ｉｎ））から１０．１６ｃｍ（４ｉｎ）までの長さＬ、０．６３５ｃｍ（０．２５ｉｎ）から８．８９ｃｍ（３．５ｉｎ）までの幅Ｗ、および、０．６３５ｃｍ（０．２５ｉｎ）から４．４４５ｃｍ（１．７５ｉｎ）までの高さＨを有している。
【０１５５】
ある実施形態では、安全ライト１０、２１０は、
（ｉ）  ２．５４ｃｍ（１ｉｎ）、または３．８１ｃｍ（１．５ｉｎ）から、５．０８ｃｍ（２ｉｎ）、または６．３５ｃｍ（２．５ｉｎ）、または７．６２ｃｍ（３ｉｎ）、または８．８９ｃｍ（３．５ｉｎ）、または１０．１６ｃｍ（４ｉｎ）、または１１．４３ｃｍ（４．５ｉｎ）、または１２．７ｃｍ（５ｉｎ）、または１３．９７ｃｍ（５．５ｉｎ）、または１５．２４ｃｍ（６ｉｎ）までの長さＬ、
（ｉｉ）  ０．６３５ｃｍ（０．２５ｉｎ）、または１．２７ｃｍ（０．５ｉｎ）、または１．９０５ｃｍ（０．７５ｉｎ）から、２．５４ｃｍ（１ｉｎ）、または３．８１ｃｍ（１．５ｉｎ）、または５．０８ｃｍ（２ｉｎ）、または７．６２ｃｍ（３ｉｎ）、または８．８９ｃｍ（３．５ｉｎ）、または１０．１６ｃｍ（４ｉｎ）までの幅Ｗ、および
（ｉｉｉ）  ０．６３５ｃｍ（０．２５ｉｎ）、または１．２７ｃｍ（０．５ｉｎ）から、１．９０５ｃｍ（０．７５ｉｎ）、または２．５４ｃｍ（１ｉｎ）、または３．１７５ｃｍ（１．２５ｉｎ）、または３．８１ｃｍ（１．５ｉｎ）、または４．４４５ｃｍ（１．７５ｉｎ）、または５．０８ｃｍ（２ｉｎ）までの高さＨ
を有している。
【０１５６】
本開示は、壁部１４、２１４を備えた上部ハウジング１２、２１２と、上部ハウジング１２、２１２に連結されているＰＣＢＡ２４であって、ＰＣＢＡ２４は、上部表面２６および底部表面２８を有している、ＰＣＢＡ２４と、ＰＣＢＡ２４の底部表面２８に連結されている複数のライトエレメント３６と、ＰＣＢＡ２４の底部表面２８および複数のライトエレメント３６に連結されているレンズ６４、２６４であって、レンズ６４、２６４は、第１の角度付きの反射表面６６ａおよび複数の側部表面６８、２６８を有している、レンズ６４、２６４と、レンズ６４、２６４に連結されている底部ハウジング９４、２９４とを含有する安全ライト１０、２１０に関する。しかし、当業者は、上部表面および底部表面を有する底部ハウジングと、底部ハウジングに連結されているＰＣＢＡであって、ＰＣＢＡは、上部表面および底部表面を有している、ＰＣＢＡと、ＰＣＢＡの上部表面に連結されている複数のライトエレメントと、ＰＣＢＡの上部表面および複数のライトエレメントに連結されているレンズであって、レンズは、第１の角度付きの反射表面および複数の側部表面６８を有している、レンズと、レンズに連結されている上部ハウジングとを備えた安全ライトを含む代替的な実施形態を理解する。この代替的な実施形態では、ＰＣＢＡの上部表面に連結されているそれぞれのライトエレメントが、底部ハウジングから離れるように、または、底部ハウジングから反対側方向に方向付けられた光を放出し、光は、レンズの第１の角度付きの反射表面で反射し、レンズの複数の側部表面を通って投射する。
【０１５７】
本明細書で開示されている安全ライト１０、２１０は、２つ以上の実施形態を含むことが可能である。
【０１５８】
具体的には、本開示は、本明細書に含有されている実施形態および図示に限定されるのではなく、実施形態の一部分、および、異なる実施形態のエレメントの組み合わせを含む、それらの実施形態の修正された形態を、以下の特許請求の範囲の中に入るものとして含むということが意図されている。
【符号の説明】
【０１５９】
１０  安全ライト
１２  上部ハウジング
１４  壁部
１６  上部表面
１８  底部表面
２０  側部表面
２０ａ  前方表面
２０ｂ  後方表面
２０ｃ  左側表面
２０ｄ  右側表面
２２  ネジ山付きコネクター
２４  プリント回路基板アッセンブリ
２６  上部表面
２８  底部表面
３０  側部表面
３０ａ  前方側部表面
３０ｂ  後方側部表面
３０ｃ  左側側部表面
３０ｄ  右側側部表面
３２  再充電可能な電源
３３  再充電可能な電源コネクター
３４  再充電ポート
３６  ライトエレメント
３６ａ  第１のグループの複数のライトエレメント
３６ｂ  第２のグループの複数のライトエレメント
３８  ネジ山付き開口部
４０  ビーコンライトエレメント
４４  緊急ボタン
４２  制御ボタン
４２ａ  第１の制御ボタン
４２ｂ  第２の制御ボタン
４２ｃ  第３の制御ボタン
４４  緊急ボタン
４６  省電力ボタン
４８  ボタンパッド
４８ａ  上部部分
４８ｂ  底部部分
５４  ボタン開口部
５６  ネジ山付き開口部
５８  ビーコン開口部
６０  ビーコンライトレンズ
６０ａ  上部部分
６０ｂ  底部部分
６１  反射表面
６２  ビーコンライトレンズ開口部
６４  レンズ
６６  角度付きの反射表面
６６ａ  １の角度付きの反射表面
６６ｂ  第２の角度付きの反射表面
６８  複数の側部表面
６８ａ  前方側部表面
６８ｂ  後方側部表面
６８ｃ  左側側部表面
６８ｄ  右側側部表面
７０  上部表面
７２  底部反射表面
７４  周辺部
７６  ライトポスト
７８  ゴムシール
７８ａ  上部部分
７８ｂ  底部部分
８０  上部表面
８２  底部表面
８４  ネジ山付き開口部
８６  再充電可能な電源開口部
８８  再充電ポート開口部
９０  再充電ポートカバー
９２  可撓性のヒンジ
９４  底部ハウジング
９６  上部表面
９８  底部表面
１００  側部表面
１００ａ  前方表面
１００ｂ  後方表面
１００ｃ  左側表面
１００ｄ  右側表面
１０２  ネジ山付き開口部
１０６  再充電ポート開口部
１０８  磁石
１１０  磁石ブラケット
１１２  接着剤
１１４  ネジ山付き締結具
２１０  安全ライト
２１２  上部ハウジング
２１４  壁部
２３４  再充電ポート
２６０  ビーコンライトレンズ
２６４  レンズ
２６８  側部表面
２９０  再充電ポートカバー
２９１  湾曲した端部
２９２  ヒンジ
２９４  底部ハウジング
２９５  ネジ山付きアタッチメント
２９７  露出された端部
３００  底部ハウジング側部表面
３６４  レンズ
３７０  レンズ上部表面
３７５  上部表面
３７６  ライトポスト
３７７  スペーシングポスト
３７９  ライトポスト上部表面
Ｈ  高さ
Ｌ  長さ
Ｗ  幅
Ｘ  角度
Ｙ  角度
Ｚ  角度
【図１】
2020530653.tif 000003
【図２】
2020530653.tif 000004
【図３】
2020530653.tif 000005
【図４】
2020530653.tif 000006
【図５】
2020530653.tif 000007
【図６】
2020530653.tif 000008
【図７】
2020530653.tif 000009
【図８】
2020530653.tif 000010
【図９】
2020530653.tif 000011
【図１０】
2020530653.tif 000012
【図１１】
2020530653.tif 000013
【図１２】
2020530653.tif 000014
【図１３】
2020530653.tif 000015
【図１４】
2020530653.tif 000016
【図１５Ａ】
2020530653.tif 000017
【図１５Ｂ】
2020530653.tif 000018
【図１６】
2020530653.tif 000019
【図１７】
2020530653.tif 000020
【図１８】
2020530653.tif 000021
【図１９】
2020530653.tif 000022
【図２０】
2020530653.tif 000023
【図２１】
2020530653.tif 000024
【図２２】
2020530653.tif 000025
【図２３】
2020530653.tif 000026
【図２４】
2020530653.tif 000027
【図２５】
2020530653.tif 000028
【図２６】
2020530653.tif 000029
【図２７】
2020530653.tif 000030
【図２８】
2020530653.tif 000031
【図２９】
2020530653.tif 000032
【図３０】
2020530653.tif 000033
【図３１】
2020530653.tif 000034
【図３２】
2020530653.tif 000035
【図３３】
2020530653.tif 000036
【図３４】
2020530653.tif 000037
【図３５】
2020530653.tif 000038
【図３６】
2020530653.tif 000039
【図３７】
2020530653.tif 000040
【図３８】
2020530653.tif 000041
【図３９】
2020530653.tif 000042
【図４０】
2020530653.tif 000043
【図４１】
2020530653.tif 000044
【図４２】
2020530653.tif 000045
【図４３】
2020530653.tif 000046
【図４４】
2020530653.tif 000047
【図４５】
2020530653.tif 000048
【図４６】
2020530653.tif 000049
【図４７】
2020530653.tif 000050
【図４８】
2020530653.tif 000051
【図４９】
2020530653.tif 000052
【図５０】
2020530653.tif 000053
【図５１】
2020530653.tif 000054
【図５２】
2020530653.tif 000055
【図５３】
2020530653.tif 000056
【図５４】
2020530653.tif 000057
【図５５】
2020530653.tif 000058
【図５６】
2020530653.tif 000059
【図５７】
2020530653.tif 000060
【図５８】
2020530653.tif 000061
【図５９】
2020530653.tif 000062
【図６０】
2020530653.tif 000063
【図６１】
2020530653.tif 000064
【図６２】
2020530653.tif 000065
【図６３】
2020530653.tif 000066
【図６４】
2020530653.tif 000067
【図６５】
2020530653.tif 000068
【図６６】
2020530653.tif 000069
【図６７】
2020530653.tif 000070
【図６８】
2020530653.tif 000071
【図６９】
2020530653.tif 000072
【図７０】
2020530653.tif 000073
【図７１】
2020530653.tif 000074
【図７２】
2020530653.tif 000075
【図７３】
2020530653.tif 000076
【図７４】
2020530653.tif 000077
【図７５】
2020530653.tif 000078
【図７６】
2020530653.tif 000079
【図７７】
2020530653.tif 000080
【図７８】
2020530653.tif 000081
【図７９】
2020530653.tif 000082
【図８０】
2020530653.tif 000083
【国際調査報告】
2020530653.tif 000084